(57)【要約】【課題】操作部材の自由度、及び組み立て性を阻害することなく、使用者の使い勝手の良いようにスピーカをデジタルカメラ背面に配置することを目的とする。【解決手段】少なくとも一つ以上の操作用押し釦を有し、該押し釦の操作を検出する検出スイッチを実装した基板、該基板の裏面に実装された記録メディア格納部を有するカメラにおいて、該基板の裏面空間に発音体を設置し、該基板の該発音体上部の該操作検出スイッチを避けた位置に孔を設けた構成とすることで、操作部材の自由度、及び組立て性を阻害することなく使用者の使い勝手の良いようにスピーカ等の発音体をカメラ背面に配置することが可能となる。【選択図】        図１
2006064935.tif 000002
【特許請求の範囲】
【請求項１】
少なくとも一つ以上の操作用押し釦を有し、該押し釦の操作を検出する検出スイッチを実装した基板、該基板の裏面に実装された記録メディア格納部を有する電子機器において、該基板の裏面空間に発音体を設置し、該基板の該発音体上部の該操作検出スイッチを避けた位置に孔を設けたことを特徴とする電子機器。
【請求項２】
押し釦の操作を検出する検出スイッチを実装した基板が多層基板で構成され発音体上部に設けた孔をスルーホールとして使用することを特徴とした請求項１に記載の電子機器。
【請求項３】
押し釦の操作を検出する検出スイッチを実装した基板を保持する部材で発音体のバックキャビティを構成することを特徴とした請求項１に記載の電子機器。
【請求項４】
発音体の端子部にバネ形状を形成し押し釦の操作を検出する検出スイッチを実装した基板と該発音体とを圧接することにより、電気的に該発音体と該基板とが接続されることを特徴とした請求項１に記載の電子機器。
【発明の詳細な説明】
【技術分野】
【０００１】
本発明は、撮像素子によって撮影された画像の画像信号をデジタル画像信号へ変換し、メモリーカード等の記録メディアに記録するデジタルカメラやデジタルビデオカメラ、及びＰＤＡなどに関する。
【背景技術】
【０００２】
近年、気軽に撮影でき撮影した画像をその場ですぐに確認できることからデジタルカメラが急速に普及しているが、最近においては静止画のみならず動画も撮影可能なデジタルカメラが主流となってきている。
【０００３】
動画が撮影可能となると撮影時の音声も同時に録音されることから、デジタルカメラ上で撮影した動画を再生する場合にも音声の確認が出来るようスピーカを搭載したデジタルカメラが主流となっている。
【０００４】
また、スピーカを搭載することで動画再生時の音声のみならず、デジタルカメラの起動音やシャッター音等様々な場面において可能性が広がることからスピーカの需要が高い。
【０００５】
そこでデジタルカメラにスピーカを搭載する場合、配置位置は使用者の使い勝手からデジタルカメラ背面にレイアウトする場合が望ましいが、図３に示すようにデジタルカメラ背面には撮影時にＥＶＦとして、また再生時に撮影画像の確認用としての液晶表示部があり、また各種撮影時の設定や再生時の操作に使用する操作部材が複数ある為にレイアウトが困難である。
【０００６】
また、デジタルカメラ背面にスピーカを配置することで逆に上記操作部材の自由度を阻害することとなり、操作部材の数を限定したり操作部材の形状を小さくする必要が生じ結果的に使用者の使い勝手を悪くしてしまうこととなってしまい、またスピーカの厚みからスピーカを配置した部分のみ外装が出っ張ってしまう場合が多くデザイン的にもあまり喜ばしいものではなかった。
【０００７】
以下図３、及び図４を用いて従来のデジタルカメラについて説明する。
【０００８】
図３は従来のデジタルカメラを背面側から見た図であり、図示していない正面側には撮影レンズ鏡筒があり、レンズ鏡筒を通して図示していないＣＣＤで捕らえた画像を３−１の液晶表示部で確認することが出来る。
【０００９】
３−２は各種操作部材を示し、撮影時の露出モードやストロボ発光モード、セルフ撮影・連写撮影のドライブモード等各種撮影時の設定、及び再生時に画像の選択や画像の拡大表示、画像の削除指定等、再生時の各種操作に使用する部材である。
【００１０】
３−３はスピーカを示し、上述のように動画再生時の音声出力やデジタルカメラ起動時の起動音、撮影時のシャッター音等、様々な場面で音を出力する。
【００１１】
３−４は記録メディア、及び電池の格納蓋を示し、当格納蓋を開閉することにより使用者は４−４の記録メディアや４−３の電池をデジタルカメラから着脱可能となる。
【００１２】
図４を用いて従来のデジタルカメラの内部を説明する。
【００１３】
４−１は３−２の操作部材に対応した押し釦型のスイッチ４−１−１、また４−１−２記録メディア格納部を実装した基板を示し、３−３スピーカを避けた形となる。
【００１４】
４−２は電池室を形成する部材で４−１基板を保持している。
【００１５】
ここで３−３スピーカは４−１−２記録メディア格納部上に配置されるため４−２電池室で保持することは出来ず３−５外装カバーの内側で保持する形態となる。
【００１６】
このような構成とすることで使用者の使い勝手の良いデジタルカメラ背面にスピーカを配置可能となるが、図に示すように３−３スピーカの存在の為に３−２操作部材の自由度が低く、また３−３スピーカの厚みにより３−５外装カバーの３−３スピーカ部は出っ張った形状となってしまい、また３−３スピーカを３−５外装カバーで保持する必要性から電気的な接続を図示していないリード線で行う必要性がある為、外装を組み付ける直前に基板へリード線を接続し外装を組み付けるようになってしまい外装組み付け時にリード線を挟み込んで破損させてしまう可能性があり組み立て性をも阻害してしまっていた。
【特許文献１】特開平１０−１５５１００号公報
【発明の開示】
【発明が解決しようとする課題】
【００１７】
本発明は上記の問題点に鑑みて、操作部材の自由度、及び組み立て性を阻害することなく、使用者の使い勝手の良いようにスピーカをデジタルカメラ背面に配置することを目的とする。
【課題を解決するための手段】
【００１８】
上記目的を達成する為に、本発明は少なくとも一つ以上の操作用押し釦を有し、該押し釦の操作を検出する検出スイッチを実装した基板、該基板の裏面に実装された記録メディア格納部を有するカメラにおいて、該基板の裏面空間に発音体を設置し、該基板の該発音体上部の該操作検出スイッチを避けた位置に孔を設けた構成とする。
【発明の効果】
【００１９】
本発明によれば、少なくとも一つ以上の操作用押し釦を有し、該押し釦の操作を検出する検出スイッチを実装した基板、該基板の裏面に実装された記録メディア格納部を有する電子機器、特にカメラにおいて、該基板の裏面空間に発音体を設置し、該基板の該発音体上部の該操作検出スイッチを避けた位置に孔を設け、設けた孔をスルーホールとして使用し、また上記基板を保持する部材で発音体のバックキャビティを構成し発音体の端子部をバネ形状で形成し上記基板と該発音体とを圧接することにより電気的に該発音体と該基板とが接続されるようにすることで、使用者にとって使い勝手の良いデジタルカメラ背面に発音体を配置し高い音圧出力が可能となり、更には上記基板の上の空間に上記発音体が存在しない為上記操作部材の自由度も高くなり操作性の良い操作部材を形成でき、また外装部には従来例のようにスピーカ部を出っ張らせることなくデザイン的にも喜ばしいデジタルカメラを提供することが可能となる。
【００２０】
また、発音体の電気的接続にリード線を必要としない為組み立て性も格段に向上させることが可能となる。
【発明を実施するための最良の形態】
【００２１】
以下、図を用いて本発明に係るデジタルカメラの実施の形態について説明する。
【実施例】
【００２２】
図２は本発明によるデジタルカメラを背面側から見た図を示し、図１は本発明によるデジタルカメラにおいて外装を取り除いた内部を示し、図１−１は図１の側面詳細図、図５はスピーカ周辺のバックキャビティ構成を示し、図６、及び図７は基板とスピーカとの接続部の構成を示した図である。
【００２３】
図１、図１−１及び図２において１−１は電池室を形成する部材を示し、１−２レンズ鏡筒、及び１−３液晶表示部、１−４基板を保持しており、１−１電池室を形成する部材と１−４基板の間には１−５スピーカが配置されている。
【００２４】
また２−３は操作部材を示し、撮影時の露出モードやストロボ発光モード、セルフ撮影・連写撮影のドライブモード等各種撮影時の設定、及び再生時に画像の選択や画像の拡大表示、画像の削除指定等、再生時の各種操作に使用することが出来る。
【００２５】
ここで、１−４基板は多層で構成されており２−３操作部材による操作を検出する１−４−１押し釦式の検出スイッチ、及び１−４−２記録メディア格納部が実装されている。
【００２６】
また１−５スピーカの上部には１−４−１押し釦式の検出スイッチを避けた範囲で１−４−３孔が設けてある。
【００２７】
デジタルカメラ使用者は撮影時に１−２レンズ鏡筒を通して図示していないＣＣＤを通して得られた画像を１−３液晶表示部で確認し、１−７記録メディアへ画像データを保存することが出来る。
【００２８】
また２−２に示す電池・記録メディア格納蓋を開閉することにより１−６電池や１−７記録メディアをデジタルカメラ本体から着脱が可能となる。
【００２９】
このような構成とすることで、使用者にとって使い勝手の良いデジタルカメラ背面にスピーカを配置することが可能となり、更には１−４基板の上の空間に１−５スピーカが存在しない為２−３操作部材の自由度も高くなり、また２−１外装部には図３の従来例のようにスピーカ部を出っ張らせることなくデザイン的にも喜ばしいデジタルカメラを提供することが可能となる。また、１−４基板の表裏や他層間をつなぐスルーホールとして１−４−３孔を使用することができる。
【００３０】
また図５に示すように、１−１電池室を形成する部材で１−５スピーカの周辺領域に１−１−１リブで可能な限り大きな１−１−２バックキャビティを形成することで、より音圧の高い音を出力することが可能となる。
【００３１】
このとき１−１−１リブは２−３操作部材により１−４−１押し釦型スイッチを介して１−４基板が受ける荷重を保持する役割もはたす。
【００３２】
また図６に示すように、１−５スピーカの１−５−１端子部をバネ形状とし、１−４基板の１−５−１端子部に対応した位置へ１−４−４端子接触部を形成することで１−１電池室を形成する部材に１−５スピーカを設置後、１−４基板を上から取り付けるだけで確実に端子部を圧接でき電気的に接続されるので、組み立て性も大幅に向上する。
ひまた図７に示すように１−５−１端子部を垂直に立たせ、１−４基板の対応した位置へ１−４−５スリットを設けることで１−１電池室を形成する部材に１−５スピーカを設置後、１−４基板を上から取り付け、その後１−４−５スリット部から飛び出した１−５−１端子部を１−４基板と半田付けを行うことで電気的に接続されるので、図６同様組み立て性も大幅に向上することができる。
【００３３】
以上本実施例では発音体としてスピーカを用いたが、これに限らずブザー等音を発するものであれば何でも適用できる。
【００３４】
また本実施例ではデジタルカメラを用いたが、これに限らずデジタルビデオカメラやＰＤＡ等に適用しても良い。
【図面の簡単な説明】
【００３５】
【図１】本発明に係る一つの実施形態におけるデジタルカメラ内部を示した図である。
【図１−１】図１の側面視の詳細図である。
【図２】本発明に係る一つの実施形態におけるデジタルカメラ全体図である。
【図３】従来技術の構成によるデジタルカメラ内部を示した図である。
【図４】従来技術の構成によるデジタルカメラ全体図である。
【図５】本発明に係る一つの実施形態におけるデジタルカメラ内部のスピーカ周辺部の詳細図である。
【図６】本発明に係る一つの実施形態におけるデジタルカメラ内部のスピーカ・基板の接続部を示した詳細図である。
【図７】本発明に係る一つの実施形態におけるデジタルカメラ内部のスピーカ・基板の接続部を示した詳細図である。
【符号の説明】
【００３６】
１−１  電池室を構成する部材
１−１−１  リブ
１−１−２  バックキャビティ
１−２  レンズ鏡筒
１−３  液晶表示部
１−４  基板
１−４−１  押し釦式検出スイッチ
１−４−２  記録メディア格納部
１−４−３  孔
１−４−４  端子接触部
１−４−５  スリット
１−５  スピーカ
１−５−１  端子部
１−６  電池
１−７  記録メディア
２−１  外装
２−２  電池・記録メディア格納蓋
２−３  操作部材
３−１  液晶表示部
３−２  操作部材
３−３  スピーカ
３−４  電池・記録メディア格納蓋
３−５  外装
４−１  基板
４−１−１  押し釦式検出スイッチ
４−１−２  記録メディア格納部
４−２  電池室を構成する部材
４−３  電池
４−４  記録メディア
【図１】
2006064935.tif 000003
【図１−１】
2006064935.tif 000004
【図２】
2006064935.tif 000005
【図３】
2006064935.tif 000006
【図４】
2006064935.tif 000007
【図５】
2006064935.tif 000008
【図６】
2006064935.tif 000009
【図７】
2006064935.tif 000010